(57)【要約】      （修正有）【課題】レール部材と地面の間にゴミが溜まりにくい運搬台車用レールの提供を目的とする。【解決手段】長尺なレール部材２を備える運搬台車用レール１において、レール部材が、上向きに突出し長手方向に延びるガイド部３と、ガイド部３の長手側の下端両側から水平方向に延びる鍔部４，４を備えることを特徴とする。またレール部材を地面に固定する固定金具５を備え、固定金具が、平板状のプレートと、プレートから立ち上がり互いに対向する一対の爪部を備え、鍔部が、プレートと爪部とでそれぞれ挟まれているようにしてもよい。【選択図】図２
2018064498.tif 000002
【特許請求の範囲】
【請求項１】
長尺なレール部材（２）を備える運搬台車用レール（１）において、
前記レール部材（２）が、上向きに突出し長手方向に延びるガイド部（３）と、前記ガイド部（３）の長手側の下端両側から水平方向に延びる鍔部（４，４）を備える
ことを特徴とする運搬台車用レール（１）。
【請求項２】
前記レール部材（２）を地面に固定する固定金具（５）を備え、
前記固定金具（５）が、平板状のプレート（６）と、前記プレート（６）から立ち上がり互いに対向する一対の爪部（７，７）を備え、
前記鍔部（４，４）が、前記プレート（６）と前記爪部（７）とでそれぞれ挟まれている
ことを特徴とする請求項１に記載の運搬台車用レール（１）。
【請求項３】
前記鍔部（４，４）の長手方向の両端にそれぞれ設けられた孔（４ａ）と、
前記レール部材（３１）の一端側に設けられて、前記レール部材（３１）の他端側に嵌合可能な嵌合部（３２）を備え、
前記嵌合部（３２）は、スエジ加工で形成されている
ことを特徴とする請求項１に記載の運搬台車用レール（３０）。
【発明の詳細な説明】
【技術分野】
【０００１】
この発明は、運搬台車用レールに関する。
【背景技術】
【０００２】
従来、ビニールハウス内で農作物を栽培するハウス栽培では、ビニールハウス内にレールを設置して、そのレール上を作業者が乗った運搬台車が走行することで、レールに沿って配置された農作物の収穫や手入れを効率的に行っている。
【０００３】
また、運搬台車用レールは、釘などで地面に固定されたプレートと、当該プレートの上に載置される円筒状のパイプからなる一対のレール材と、レール材をプレートに固定する連結金具を備えて構成されている（例えば、特許文献１参照）。
【先行技術文献】
【特許文献】
【０００４】
【特許文献１】実開平０７−００７３１８
【発明の概要】
【発明が解決しようとする課題】
【０００５】
ところが、従来の運搬台車用レールでは、レール材が円筒状に形成されているため、レール材と地面の間に隙間ができてしまう。そのため、この隙間に農作物の葉や間引かれた実などのゴミが溜まってしまうため、頻繁に取り除く必要があった。
【０００６】
そこで、本発明は、レール材と地面の間にゴミが溜まりにくい運搬台車用レールの提供を目的とする。
【課題を解決するための手段】
【０００７】
前記課題を解決するための手段は、長尺なレール部材を備える運搬台車用レールにおいて、前記レール部材が、上向きに突出し長手方向に延びるガイド部と、前記ガイド部の長手側の下端両側から水平方向に延びる鍔部を備えることを特徴とする。
【０００８】
また、前記レール部材を地面に固定する固定金具を備え、前記固定金具が、平板状のプレートと、前記プレートから立ち上がり互いに対向する一対の爪部を備え、前記鍔部が、前記プレートと前記爪部とでそれぞれ挟まれているようにしてもよい。
【０００９】
この構成によると、固定金具のプレートと爪部とでレール部材の鍔部を挟むことで、レール部材を地面に固定できるため、レール部材のガイド部には固定金具が覆いかぶさらない。したがって、運搬台車が走行する際にもガタつかず、運搬台車の走行安定性が向上する。さらに、従来の運搬台車用レールでは、レール材を地面に固定するために、地面に固定されたプレートと、当該プレートにレール材を固定するための連結金具の二部材が利用されているが、上記構成によれば、一つの固定金具でレール部材を地面に固定できるため、部品点数を削減でき、施工性が向上する。
【００１０】
また、前記鍔部の長手方向の両端にそれぞれ設けられた孔と、前記レール部材の一端側に設けられて、前記レール部材の他端側に嵌合可能な嵌合部を備え、前記嵌合部を、スエジ加工で形成するとしてもよい。
【００１１】
この構成によると、レール部材の一端側に設けられた嵌合部を別のレール部材の他端側に嵌合させるとともに、互いの鍔部に設けられた孔を対向させた状態で、当該孔に釘を打ち込めば、ジョイントを使用することなく、二つのレール部材を連結できる。したがって、部品点数のさらなる削減が達成でき、施工性が向上する。
【発明の効果】
【００１２】
本発明の運搬台車用レールによれば、レール部材が、上向きに突出し長手方向に延びるガイド部と、ガイド部の長手側の下端両側から水平に延びる鍔部で構成されているため、レール部材と地面の間に隙間が非常にできにくく、レール部材と地面の間にゴミが溜まるのを抑制できる。
【００１３】
また、レール部材の鍔部が地面に面接触するため、運搬台車用レールの安定性が向上する。
【図面の簡単な説明】
【００１４】
【図１】第一実施形態に係る運搬台車用レールが利用されている状態を示す斜視図である。
【図２】図１の運搬台車用レールの部分を拡大して示す斜視図である。
【図３】第一実施形態に係る運搬台車用レールの一部拡大正面図である。
【図４】第一実施形態に係る運搬台車用レールの一部拡大平面図である。
【図５】第一実施形態に係る固定金具を示す斜視図である。
【図６】第一実施形態に係る運搬台車用レールの一部拡大斜視図であって、固定金具の他の用途を示す図である。
【図７】第一実施形態に係る固定金具の変形例を示す斜視図である。
【図８】第二実施形態に係る運搬台車用レールの一部拡大斜視図である。
【発明を実施するための形態】
【００１５】
以下に、図面を参照しながら本実施の形態について説明する。各図面を通して付された同じ符号は、同じ部品を示す。
【００１６】
＜第一実施形態＞
本実施の形態に係る運搬台車用レール１は、図１に示すように、ビニールハウスなどで農作物を収穫する際に利用される運搬台車Ｃが走行可能なレールである。本例の運搬台車用レール１は、図２に示すように、一対の長尺なレール部材２，２と、レール部材２を地面に固定する固定金具５を備えている。また、本例の運搬台車用レール１は、固定金具５を介して、複数のレール部材２の各端部同士が連結されて、運搬台車Ｃの走行方向に延長されている。
【００１７】
次に運搬台車用レール１の各部について詳細に説明する。
【００１８】
レール部材２は、金属製であって、図２，図３に示すように、上向きに突出し長手方向に延びるガイド部３と、ガイド部３の長手側の下端両側からそれぞれ水平方向に延びる鍔部４を備えて形成されている。また、図４に示すように、各鍔部４，４の長手方向の各端部には、それぞれ孔４ａが形成されている。
【００１９】
なお、本例では、ガイド部３は、断面が半円状に形成されているが、運搬台車Ｃの走行部の形状に合わせて形状は適宜変更できる。また、本例では、レール部材２は金属製であるが、運搬台車Ｃの荷重に耐えられる剛性があれば、材質は特に限定されない。
【００２０】
固定金具５は、図５に示すように、平板状のプレート６と、プレート６から立ち上がり互いに対向する一対の爪部７，７を備えて構成される。
【００２１】
本例のプレート６は、図５に示すように、四隅にそれぞれ孔６ａが設けられている。また、本例では、プレート６は肉厚を貫通する方向に二箇所開孔されて肉抜きされており、固定金具５に使用する材料が削減されている。
【００２２】
また、本例の爪部７は、図３に示すように、それぞれ正面視でプレート６から垂直に立ち上がる垂直部７ａと、垂直部７ａの先端からもう一方の爪部７に向かって水平方向に延びる平板状の水平部７ｂを備え、正面視でＬ字状に形成されている。
【００２３】
さらに、各爪部７，７の水平部７ｂには、図５に示すように、孔７ｃ，７ｃが二つずつ並列に設けられている。
【００２４】
そして、固定金具５の爪部７，７とプレート６の隙間に一方側と他方側からそれぞれ、レール部材２をスライドさせて挿入し、二つのレール部材２の端部を突き合わせて、両方の鍔部４，４に引っ掛かるように爪部７を重ねて、鍔部４に設けられた孔４ａと、爪部７に設けられた孔７ｃとを対向させた状態で釘１０を地面に打ち込むことで、レール部材２を地面に固定するとともに、図２，図４に示すように、二つのレール部材２，２をつなぎ合わせて運搬台車用レール１を延長できる。
【００２５】
この際、爪部７に設けられた二つの孔７ｃ，７ｃ間の幅は、突き合わされた二つのレール部材２，２の境界が固定金具５の真ん中の位置になると丁度、爪部７の孔７ｃ，７ｃと各レール部材２，２の孔４ａ，４ａが対向する大きさに設定されているため、位置決めが容易になっている。
【００２６】
また、本例では、固定金具５を二つのレール部材２，２を連結するジョイントとして利用しているが、レール部材２をよりしっかりと地面に固定する補強部材としても利用できる。
【００２７】
具体的には、図６に示すように、固定金具５の爪部７，７を鍔部４に噛ませて、固定金具５をレール部材２の任意の位置までスライド移動させた状態で、プレート６の四隅に設けられた孔６ａに釘２０を打ち込み、固定金具５の爪部７，７によって、鍔部４を押さえつけることで、複数のレール部材２，２を連結する部分以外でも、レール部材２を地面に固定できる。
【００２８】
これにより、運搬台車用レール１がよりしっかりと地面に固定されるので、運搬台車Ｃの走行安定性を向上させることができる
また、この際、固定金具５のプレート６の四隅に設けられた孔６ａに釘２０を打ち込んでいるため、レール部材２の鍔部４に孔が設けられていない部分にも固定金具５を取り付けできる。
【００２９】
なお、固定金具５の形状は、上述したものに限られず、例えば、図７に示すように、平板状の金属プレートの互いに対向する側部を角部を残して内向きに湾曲させて一対の対向する爪部７，７を形成するとともに、爪部７，７に設けられた孔７ｃに対向する孔６ｂをプレート６に設けることで、プレート６と、プレート６から立ち上がり互いに対向する一対の爪部７，７を備える固定金具５を形成してもよい。
【００３０】
本例では、レール部材２が、上向きに突出し長手方向に延びるガイド部３と、ガイド部３の長手側の下端両側からそれぞれ水平方向に延びる鍔部４によって形成されている。そのため、本実施の形態に係るレール部材２が地面に取り付けられると、レール部材２と地面との間に隙間が非常にできにくく、レール部材２と地面の間にゴミが溜まるのを抑制できる。
【００３１】
また、従来の運搬台車用レールは、レール材が円筒状に形成されているため、レール材と地面の接触面が点接触になる。これに対して、本例のレール部材２は、水平方向に延びる鍔部４が地面に面接触するため、運搬台車用レール１の安定性が従来に比べて向上する。
【００３２】
また、本例の固定金具５は、爪部７，７をレール部材２の鍔部４，４に噛ませることで、レール部材２を地面に固定しているため、ガイド部３には固定金具５が覆いかぶさらない。したがって、本例の運搬台車用レール１では、運搬台車Ｃが走行する際にガタつかず、運搬台車Ｃの走行安定性が向上する。
【００３３】
さらに、従来の運搬台車用レールでは、レール材を地面に固定するために、地面に固定されたプレートと、当該プレートにレール材を固定するための連結金具の二部材が利用されているが、本実施の形態に係る運搬台車用レール１の構成によれば、一つの固定金具５でレール部材２を地面に固定できるため、部品点数を削減でき、施工性が向上する。
【００３４】
なお、本例では、複数のレール部材２を固定金具５を介して連結することで、運搬台車用レール１を延長しているが、運搬台車用レール１を単一のレール部材２で形成してもよい。この場合には、レール部材２の鍔部４に一定間隔で孔を設け、その孔に釘を打ち込むことで、レール部材２を地面に固定すれば、固定金具５を省略できる。
【００３５】
なお、本実施の形態に係る運搬台車用レール１を説明する図面では、レール部材２は、二つしか連結されていないが、運搬台車用レール１に要求される長さに応じて、３つ以上連結させてもよいことは勿論である。
【００３６】
＜第二実施形態＞
つづいて、第二実施形態に係る運搬台車用レール３０について説明する。運搬台車用レール３０は、図８に示すように、レール部材３１の一端側にレール部材３１の他端側と嵌合可能な嵌合部３２が形成されている点で、第一実施形態の運搬台車用レール１と異なる。
【００３７】
ここでは、上述した第一実施形態に係る運搬台車用レール１との異なる点を中心に説明し、同様の機能を有する構成には同一の符号を付して説明を省略する。
【００３８】
本実施の形態に係る運搬台車用レール３０のレール部材３１の一端側に設けられた嵌合部３２は、レール部材３１の一端側をスエジ加工により圧縮することで、レール部材３１の他端側と嵌合可能に形成されている。
【００３９】
そして、一方（図中左側）のレール部材３１の他端側を、他方（図中右側）のレール部材３１の一端側に設けられた嵌合部３２に重ねるようにして嵌合し、一方のレール部材２と他方のレール部材２の鍔部４，４の長手方向の端部に設けられた孔４ａを対向させた状態で、孔４ａに釘を打ち込むことで、二つのレール部材２，２を連結するとともに運搬台車用レール３０を地面に固定できる。
【００４０】
この構成によると、ジョイントを使用することなく、二つのレール部材２，２を連結できるため、第二実施形態に係る運搬台車用レール３０は、第一実施形態よりも、さらに部品点数を削減できるとともに施工性がより向上する。
【００４１】
以上、本発明の好ましい実施の形態を詳細に説明したが、特許請求の範囲から逸脱なく改造、変形及び変更ができるのは当然である。
【符号の説明】
【００４２】
１，３０・・・運搬台車用レール、２，３１・・・レール部材、３・・・ガイド部、４・・・鍔部、５・・・固定金具、６・・・プレート、７・・・爪部、３２・・・嵌合部
【図１】
2018064498.tif 000003
【図２】
2018064498.tif 000004
【図３】
2018064498.tif 000005
【図４】
2018064498.tif 000006
【図５】
2018064498.tif 000007
【図６】
2018064498.tif 000008
【図７】
2018064498.tif 000009
【図８】
2018064498.tif 000010